(57)【要約】      （修正有）【課題】シートのスライド調整を行うと共にウオークイン動作においてシートをウオークイン動作の前の元の位置に復帰させるためのメモリー機構を有するシートスライド装置を提供する。【解決手段】ロアレールに形成したロック歯２０に噛合するようにスライドロック９と、スライドロックに係脱可能なロックオフプレートを有するロックオフリンク５と、ロアレールに設けたガイドレール７に摺動可能に嵌合させたメモリーユニット１４と、メモリーユニットと当接可能なストッパー１１と、シートのスライド作動時にストッパーにメモリーユニットを当接さえて移動可能に支持するメモリーリンク３とを設け、アッパレール上にはシートバックの前倒し動作に連動するスライダー２を備え、ロアレールにはシートバックの前倒し動作によりシート位置を記憶するためロック穴に噛合するメモリーロック１２を備えている。【選択図】図１
2010089570.tif 000002
【特許請求の範囲】
【請求項１】
ロアレールと該ロアレールに摺動可能に嵌合させたアッパレールとから成り、ロアレールとアッパレールとの間にはロアレールに形成したロック歯に噛合するように付勢されたスライドロックと、スライドロックに係脱可能なロックオフプレートを有するロックオフリンクと、ロアレールに設けたガイドレールに摺動可能に嵌合させたメモリーユニットと、メモリーユニットと当接可能なストッパーと、シートの通常のスライド作動時にストッパーにメモリーユニットを当接させて移動可能に支持するメモリーリンクとを設け、アッパレール上にはシートバックの前倒し動作に連動して摺動するスライダーを取付けたガイドプレートを設け、ガイドプレートにはアッパレールを通して上方に移動するように付勢されたロックオフリンクと下端に形成された係合突出部が下方に移動するように付勢されたメモリーリンクとを回動可能に取付け、ロックオフプレートをシートの通常のスライド作動時においてスライドロックと係合しないように上方に移動させることができるようにかつシートバックの前倒し動作においてシートのロックオフ状態を保持するためにスライドロックに係合させてスライドロックとロアレールのロック歯との噛合を外すことができるようにスライダーに係合させ、メモリーユニットにはシートバックの前倒し動作によりシートの位置を記憶するためロアレールのロック穴に噛合するように付勢されたメモリーロックを回動可能に取付け、メモリーリンクをシートの通常のスライド作動時にロアレールのロック穴に噛合させないようにメモリーロックを押圧するようにかつシートバックの前倒し動作において係合突出部を上方に移動することによりメモリーロックをロアレールのロック穴に噛合させるようにスライダーに係合させたことを特徴とするメモリー機構を有するシートスライド装置。
【請求項２】
ロックオフリンクの一端をその他端が上方向に移動するように付勢するスプリングによりピンで回動可能にガイドプレートに軸着させ、ロックオフリンクの他端にはロックオフプレートを備え、ロックオフプレートの上端にはスライダーに形成した案内溝に係合させる屈曲部を形成し、ロックオフプレートの下端をスライドロックに係脱可能にしたことを特徴とする請求項１に記載のメモリー機構を有するシートスライド装置。
【請求項３】
メモリーリンクの一端を係合突出部が下方に移動するように付勢するスプリングによりピンで回動可能にガイドプレートに軸着させ、メモリーリンクの他端係合突出部上方にはスライダーに形成した案内開口部に係合させた屈曲部を形成し、係合突出部をメモリーユニットとメモリーロックに係合可能にさせたことを特徴とする請求項１に記載のメモリー機構を有するシートスライド装置。
【請求項４】
スライダーをシートの通常のスライド作動時の初期位置に付勢するスプリングによりガイドプレートに摺動可能に取付け、スライダーの一方にはロックオフプレートをシートの通常のスライド作動時においてスライドロックと係合しない上方位置とシートバックの前倒し動作においてロアレールのロック歯との噛合を外してシートのロックオフ状態を保持する位置とに移動させる案内溝を形成し、スライダーの他方にはメモリーリンクをシートの通常のスライド作動時にストッパーに当接するようにメモリーユニットを押圧すると共にロアレールのロック穴に噛合させないようにメモリーロックを押圧する位置とシートバックの前倒し動作においてメモリーリンクが係合突出部を上方に移動されてメモリーロックがスプリングによりロアレールのロック穴に噛合する位置とに移動させる案内開口部を形成し、該案内開口部にはシートバックの前倒し後の復帰時にメモリーユニットに係合するまではメモリーリンクを係合突出部が下方に移動させた状態を保持してスライダーが初期位置に戻るのを防止し、シートロックオフ状態を保持する係合段部を形成したことを特徴とする請求項１に記載のメモリー機構を有するシートスライド装置。
【発明の詳細な説明】
【技術分野】
【０００１】
本発明はメモリー機構を有するシートスライド装置に関するもので、特にウオークイン動作においてシートを元の調整位置に復帰させるためのメモリー機構を備えた自動車用シートスライド装置に関するものである。
【背景技術】
【０００２】
従来、この種の自動車用シートスライド装置にはシートバックを前倒しすることによってシートを前方に移動させるウオークイン動作においてシートを初期設定の定点位置に復帰させるためのメモリー機構が備えられている（特許文献１参照）。この特許文献１に記載のメモリー機構はストッパプレートと板バネとから成る定点メモリーを備え、ロアレールの底面には定点メモリーの板バネを抑えてバネ力を付与する支えレールを立設してあり、定点メモリーは支えレールとロアレールとにより無負荷状態ではストッパプレートの後端部を板バネのバネ力で所定位置の抜き穴に没入させると共に先端側を斜め上方に向けるようにロアレールと支えレールとの間に配置されるようになっている。この定点メモリーはアッパプレートに枢軸で揺動可能に軸承されている押えカムによりロアレールの底面に押圧された状態で保持され、押えカムにはストッパプレートのへら状部とコの字状部を受け入れ、ロアレールの底面と平行に押圧する中央底辺とストッパプレートに当接する前後端とから形成した切欠部を下端に設けてある。切欠部にはストッパプレートのへら状部が押えカムの前縁に当接する際の受入れ用として中央底辺より深い逃げ部を前端に隣接して形成してある。
【０００３】
シート位置を前後方向に調整する場合には操作レバーを引張ると、第１作動レバーがケーブルワイヤに引張られて回動し、ロックレバーがコロにより押し下げられ、ロックプレートがロックレバーにより引き上げられると共に突歯がロック穴より外れるため、シートを前後方向に移動することができ、シートの位置移動に伴っては押えカムが補助シートと当接して定点メモリーをロアレールの底面に押圧したままであるから、ストッパプレートと板バネとを有するメモリー全体をロアレールと支えレールとの間に案内して摺動させることができる。シートの位置調整後は操作レバーの引上げを解除すれば、第１作動レバーが戻りコイルバネにより復帰動すると共にロックレバーがコイルスプリングにより復帰動するので、シートを調整位置においてロックプレートにより施錠状態に保持することができる。
【０００４】
ウオークイン動作においては別の操作レバーを引張ると、リクライニング機構のロックが解除されると共にシートバックが前倒れするので、第２作動レバーがケーブルワイヤにより引張られて回動し、ロックレバーと補助プレートとが押えシャフトのコロにより押し下げられ、ロックプレートがロックレバーにより引き上げられると共に突歯がロック穴より外れるため、シートを前方の所定位置までスライド移動させることができる。シートのスライド移動において補助プレートも押えシャフトにより押し下げられるに伴って、押えカムがコイルスプリングにより引張られて回動し、その切欠部の後端をストッパプレートから離間させるので、定点メモリーがストッパプレートの後端部を板バネのバネ力で所定位置の抜き穴に没入させて先端縁を斜め上方に向け、押えカムがアッパプレートに付随して前方に移動するので、定点メモリーがロアレールと支えレールとの間で元の定点位置に置き去られ、元の位置を記憶したこととなる。ウオークイン動作後にシートを元の定点位置に戻す際にはシートバックの起立により第２作動レバーがロックレバーと補助プレートを押し下げなくなるが、押えカムがコイルスプリングに引っ張られ押えカムの張出し片が補助プレートの掛止め段部に当接し、ロックレバーのコイルスプリングに抗して、ロックプレートの開錠状態を保つ。押えカムが切欠部の前端により斜め上方に向くストッパプレートの先端縁に突き当たるまでシートを後方に戻せば、シートを元の位置を記憶した定点位置に復帰させたこととなる。
【０００５】
【特許文献１】特開２００７−３０６３８号公報
【発明の開示】
【発明が解決しようとする課題】
【０００６】
上述したメモリー機構を有するシートスライド装置はスライド機構と定点メモリーを作動させるメモリー機構の部品数が多くなり、それらの機構が高さ方向に大きくなってしまうため、少ないスペースには設置できない問題がある。またメモリー機構は前倒し時に定点位置を記憶するために定点メモリーがバネによりストッパプレートの後端部を抜き穴に没入させてその先端側を斜め上方に向けた状態でロアレール上に置き去りにされるため、その先端側が押され簡単に外れる危険があり、安定性と信頼性に欠ける問題がある。
【０００７】
本発明の目的は、スライド機構とメモリー機構の部品数が少なく、シートスライド装置を大型化することなく、その構造を簡素化することができ、確実かつ安定したメモリー作動を行うことができるメモリー機構を有するシートスライド装置を提供することにある。
【課題を解決するための手段】
【０００８】
本発明によるメモリー機構を有するシートスライド装置はロアレールと該ロアレールに摺動可能に嵌合させたアッパレールとから成り、ロアレールとアッパレールとの間にはロアレールに形成したロック歯に噛合するように付勢されたスライドロックと、スライドロックに係脱可能なロックオフプレートを有するロックオフリンクと、ロアレールに設けたガイドレールに摺動可能に嵌合させたメモリーユニットと、メモリーユニットと当接可能なストッパーと、シートの通常のスライド作動時にストッパーにメモリーユニットを当接させて移動可能に支持するメモリーリンクとを備えてある。アッパレール上にはシートバックの前倒し動作に連動して摺動するスライダーを取付けたガイドプレートが設けられ、ガイドプレートにはアッパレールを通して上方に移動するように付勢されたロックオフリンクと下端に形成された係合突起部が下方に移動するように付勢されたメモリーリンクとが回動可能に取付けられている。ロックオフプレートはシートの通常のスライド作動時にスライドロックと係合しないように上方に移動させることができるようにかつシートバックの前倒し動作においてシートロックオフ状態を保持するためにスライドロックに係合してスライドロックとロアレールのロック歯との噛合を外すことができるようにスライダーに係合している。メモリーユニットにはシートバックの前倒し動作によりシートの位置を記憶するためにロアレールのロック穴に噛合するように付勢されたメモリーロックが回動可能に取付けられ、メモリーリンクはシートの通常のスライド作動時にロアレールのロック穴に噛合させないようにメモリーロックを押圧するようにかつシートバックの前倒し動作において係合突出部を上方に移動することによりメモリーロックをロアレールのロック穴に噛合させるようにスライダーに係合されている。
【０００９】
本発明によるシートスライド装置のロックオフリンクは他端が上方に移動するように付勢するスプリングでその一端をピンにより回動可能にガイドプレートに取付けられ、その他端にはロックオフプレートを設け、該ロックオフプレートの上端にはスライダーに形成した案内溝に係合させる屈曲部を形成し、ロックオフプレートの下端をスライドロックに係脱可能にしてある。
【００１０】
本発明によるシートスライド装置のメモリーリンクは係合突出部が下方に移動するように付勢するスプリングでその一端をピンにより回動可能にガイドプレートに取付けられ、その他端にはスライダーに形成した案内開口部に係合させる屈曲部を設け、係合突出部をメモリーユニットとメモリーロックに係合可能にしてある。
【００１１】
本発明によるシートスライド装置のスライダーはシートの通常のスライド作動時における初期位置に付勢するスプリングによりガイドプレートに摺動可能に取付けられ、その一方にはロックオフプレートをシートの通常のスライド作動時においてスライドロックと係合しない上方位置とシートバックの前倒し動作によりスライドロックと係合してスライドロックとロアレールのロック歯との噛合を外してシートのロックオフ状態を保持する位置とに移動させる案内溝を形成し、他方にはメモリーリンクをシートの通常のスライド作動時にストッパーに当接するようにメモリーユニットを押圧すると共にロアレールのロック穴に噛合させないようにメモリーロックを押圧する位置とシートの前倒し動作においてメモリーリンクにより係合突出部を上方に移動されてメモリーロックがロアレールのロック穴に噛合する位置とに移動させる案内開口部を形成し、該案内開口部にはシートバックの前倒し後の復帰時にメモリーユニットに係合するまではメモリーリンクを係合突出部が下方に移動させた状態を保持してスライダーが初期位置に戻るのを阻止し、シートのロックオフ状態を保持する係合段部を形成してある。
【発明の効果】
【００１２】
本発明においてはアッパレールとロアレールとの間にスライド機構とメモリー機構とを配設でき、シートスライド装置を大型化することなく、少ない部品数で構成でき、しかもその構造を簡素化させることができるので、少ないスペースでも設置可能であり、またロアレールの底面に取付けたガイドレールに沿って摺動可能に嵌合させたメモリーユニットにはスプリングによりロアレールのロック穴に噛合するように付勢されたメモリーロックを回動可能に取付けてあるので、シートバックの前倒し動作時にメモリーロックはロアレールのロック穴に確実に噛合し、その後ロアレールのロック穴から外れることなく、確実かつ安定したメモリー作動を行うことができる。
【発明を実施するための最良の形態】
【００１３】
本発明によるメモリー機構を有するシートスライド装置は断面を略逆Ｕ字形に形成したアッパレール１８と断面を略Ｕ字形に形成したロアレール８とから成り、自動車のフロアに固定されるロアレール８にはアッパレール１８をそれらの開口部が互いに向き合うようにボールベアリングを介して摺動可能に嵌合させてあり、スプリング１９によりアッパレールを前方に付してある。ロアレール８はその側部にシートを所望位置でロックするためのロック歯２０を設け、その底面にはロック穴１５を形成すると共に該ロック穴に対応するようにガイドレール穴を配置させたガイドレール７を取付けてある。
【００１４】
ロアレール８とアッパレール１８との間にはロアレール８に形成したロック歯２０に噛合するように付勢されたスライドロック９と、該スライドロック９に係脱可能なロックオフプレート１０を有するロックオフリンク５と、ロアレール８に設けたガイドレール７に摺動可能に嵌合させたメモリーユニット１４と、メモリーユニット１４と当接可能なストッパー１１と、シートの通常の作動時にストッパー１１にメモリーユニット１４を当接させて移動可能に支持するメモリーリンク３とを設けてある。
【００１５】
アッパレール１８上にはガイドプレート１７を備えたブラケット２１を取付け、ガイドプレート１７内にはシートバックの前倒し動作に連動してガイドプレート１７に沿って摺動するスライダー２を設けている。
【００１６】
スライドロック９にはロアレール８の側部に形成したロック歯２０に噛合するロック孔２２を備え、該ロック孔２２をロアレール８のロック歯２０に噛合するように付勢するスプリング２３を設け、シートの通常のスライド作動時にロック孔２２とロアレール８のロック歯２０との噛合を外す操作レバー２４を取付けてある。
【００１７】
メモリーユニット１４内にはメモリーロック１２を回動可能に取付け、メモリーロック１２をロアレール８の底面に形成したロック穴１５に噛合するように付勢するスプリング１３を設け、メモリーロック１２にはシートの通常のスライド作動時にメモリーロック１２とロアレール８のロック穴１５との噛合を外すようにメモリーリンク３が負荷されている。
【００１８】
ストッパー１１はアッパレール１８に取付けられ、その下端をロアレール８に向けて吊下させ、シートの通常のスライド作動時にメモリーリンク３の押圧によりメモリーユニット１４が当接し、アッパレール１８の移動に伴ってメモリーリンク３と共にメモリーユニット１４の移動を支持する。
【００１９】
ロックオフリンク５は一端をピン６を中心にガイドプレート１７に回動可能に取付けられ、その他端にはアッパレール１８を通してアッパレール１８とロアレール８との間に延伸させたロックオフプレート１０を備え、ロックオフプレート１０はその下端をスライドロック９に係脱可能にしかつその上端にはシートバックの前倒し動作に連動するスライダー２に係合する屈曲部２５を設けてあり、ロックオフリンク５の一端に取付けられたスプリング４によりロックオフリンク５の他端のロックオフプレート１０がスライドロック９に係合しない上方位置に付勢されている。
【００２０】
メモリーリンク３はロックオフリンク５と同様に一端をピン６によりガイドプレート１７に回動可能に取付けられ、その他端をアッパレール１８を通してアッパレール１８とロアレール８との間に延伸させ、メモリーリンク３の下端に形成された係合突出部３８をメモリーユニット１４とメモリーロック１２に係脱可能にし、係合突出部３８上方にはシートバックの前倒し動作に連動するスライダー２に係合する屈曲部２７を備え、メモリーリンク３の一端に取付けられたスプリング４によりメモリーリンク３の係合突出部３８がメモリーユニット１４とメモリーロック１２に係合するように下方向に付勢されている。
【００２１】
スライダー２は一端にシートバックの前倒し動作により引張られるケーブルを係止させるフック１を取付けると共に他端にはシートの通常のスライド作動時における初期位置に付勢するコイルスプリング１６の一端を取付け、コイルスプリング１６の他端をガイドプレート１７に係止させてあるので、スライダー２はシートバックの前倒し動作に連動してコイルスプリング１６のバネ力に抗してガイドプレート１７に沿って摺動可能になっている。スライダー２はその一方にロックオフプレート１０に形成した屈曲部２５を係合させてロックオフリンク５を案内するための案内溝２９を形成し、他方にはメモリーリンク３に形成した屈曲部２７を係合させてメモリーリンク３を案内するための案内開口部３３を形成してある。
【００２２】
スライダー２の案内溝２９はシートの前倒し動作によりロックオフプレート１０がスライドロック９と係合してスライドロック９のロック孔２２とロアレール８のロック歯２０との噛合を外すために屈曲部２５が係合する傾斜溝３０と、スライドロック９のロック孔２２とロアレール８のロック歯２０との噛合を外したシートのロックオフ状態を保持させるために屈曲部２５が係合する下端水平部３１と、シートの通常のスライド作動時においてロックオフプレート１０がスライドロック９に係合しない上方位置に移動させるために屈曲部２５が係合する上端水平部３２とを備えている。
【００２３】
スライダー２の案内開口部３３はシートの通常のスライド作動時にメモリーリンク３がメモリーユニット１４をストッパー１１に当接させるように押圧しかつロアレール８のロック穴１５に噛合させないようにメモリーロック１２を押圧させるために屈曲部２７が係合する傾斜溝３４と、シートバックの前倒し動作によりメモリーリンク３がメモリーユニット１４とメモリーロック１２とを押圧しなくなってメモリーロック１２をスプリング１３によりガイドレール穴１５に噛合させるために屈曲部２７が係合する上端水平部３５と、シートの前方移動時にメモリーリンク３が下方向に回動しかつその下方向に回動した状態を保持させるために屈曲部２７が係合する下端水平部３６と、シートバックの前倒し後の復帰時にメモリーリンク３がメモリーユニット１４に係合するまではスライダー２が初期位置に戻るのを阻止させるために屈曲部２７が係合する係合段部３７とを備えている。
【００２４】
シートの通常のスライド作動について説明すると、図４に示したように、スライダー２がコイルバネ１６により初期位置に引張られていることにより、ロックオフプレート１０の屈曲部２５がスライダー２に形成した案内溝２９の上端水平部３２に係合し、それによりロックオフプレート１０がスライドロック９に係合しない上方位置に位置決めされ、メモリーリンク３の屈曲部２７がスライダー２に形成した案内開口部３３の傾斜溝３４に係合し、それによりメモリーリンク３がメモリーユニット１４をストッパー１１に当接するように押圧しかつロアレール８のロック穴１５に噛合させないようにメモリーロック１２を押圧し、そしてスライドロック９のロック孔２２がスプリング２３によりロアレール８のロック歯２０に噛合しているシートのロック状態が形成され、その状態において、操作レバー２４を作動させることにより、ロアレール８のロック歯２０とスライドロック９のロック孔２２との噛合を外すと、アッパレール１８がロアレール８に沿って移動し、しかもメモリーロック１２とロアレール８のロック穴１５との噛合が外れているので、メモリーユニット１４の摺動が可能であり、メモリーユニット１４はストッパー１１とメモリーリンク３とに挟まれてアッパレール１８と共に摺動し、所定のシート調整位置において操作レバー２４を離すことによりロアレール８のロック歯２０にスライドロック９のロック孔２２が噛合してシートを所定の調整位置でロックすることができる。
【００２５】
次にウオークイン動作における本発明のシートスライド装置の作動を説明する。シートバックの前倒し動作によりケーブルがスライダー２のフック１を引張ると、図５に示すようにスライダー２がコイルスプリング１６のバネ力に抗してフック１に引かれて左側に移動し、ロックオフリンク５のロックオフプレート１０に備えられた屈曲部２５がスライダー２に形成した案内溝２９に案内されて上端水平部３２から傾斜溝３０を通って下端水平部３１に移動すると、ロックオフプレート１０がスライドロック９に係合してスライドロック９を下方向に押下げ、スライドロック９のロック孔２２をロアレール８のロック歯２０から外してシートのロックオフ状態を保持し、同時にメモリーリンク３の屈曲部２７がスライダー２に形成された傾斜溝３４を出ると、メモリーリンク３のスプリング４よりもメモリーロック１２のスプリング１３のスプリング力が大きいので、上端水平部３５に係合し、メモリーリンク３が時計廻り方向に回転してメモリーユニット１４とメモリーロック１２とを押圧しなくなり、メモリーロック１２がスプリング１３により逆時計廻り方向に回動してロアレール８のロック穴１５に噛合し、シートバックの前倒し動作時のシートの位置を記憶したこととなる。
【００２６】
シートバックの前倒し後にアッパレール１８が前方に移動すると、図６に示したようにメモリーロック１２がロアレール８のロック穴１５に噛合っているので、メモリーユニット１４はロアレール８側に固定されたまま残り、メモリーリンク３がスプリング４により逆時計廻り方向に回転してその屈曲部２７が案内開口部３３の下端水平部３６に係合する。
【００２７】
アッパレール１８を前方に移動した後にシートバックを復帰させる際に、図７に示したようにフック１に加わるケーブルの引き力がなくなると、スライダー２はコイルスプリング１６により右側に移動するが、ロックオフプレート１０はその屈曲部２５が下端水平部３１に係合しているのでスライドロック９を押下げたロックオフの状態を保持し、同時にメモリーリンク３はその屈曲部２７がスライダー２に形成した案内開口部３３の係合段部３７に係合するのでスライダー２が初期位置に戻るのを阻止する。
【００２８】
アッパレール１８を元の位置に復帰させるために後方に移動させると、図８に示したようにメモリーリンク３がメモリーユニット１４と接触し、その後更にレールを移動させるとメモリーリンク３がメモリーユニット１４に押圧されて時計廻り方向に回転し、図９に示したようにスライダー２の係合段部３７とメモリーリンク３の屈曲部２７との係合が外れるようになる。スライダー２とメモリーリンク３との係合が外れると、図１０に示したようにスライダー２がコイルスプリング１６により右側に移動し、ロックオフプレート１０がスプリング４により上方に移動し、スライダー２の下端水平部３１から傾斜溝３０に入り、スライドロック９のロック孔２２がロアレール８のロック歯２０に接触する。
【００２９】
アッパレール１８を元の位置まで復帰させると、スライダー２がコイルスプリング１６により更に右側に移動し、図４に示したようにロックオフプレート１０がスプリング４により上方に移動し、その屈曲部２５をスライダー２の上端平面部３２に係合させると、スライドロック９のロック孔２２がロアレール８のロック歯２０と噛合し、同時にスライダー２の傾斜溝３４にメモリーリンク３の屈曲部２７が係合することにより、メモリーリンク３が逆時計廻り方向に回転し、メモリーロック１２を押圧して時計廻り方向に回動させ、メモリーロック１２をロアレールのロック穴１５から外すと共にメモリーユニット１４をストッパー１１に向けて押圧することにより、シートをシートバックの前倒し前の元の位置に復帰させてロックしたこととなる。
【図面の簡単な説明】
【００３０】
【図１】本発明によるメモリー機構を有するシートスライド装置の主要部材の分解斜視図である。
【図２】本発明のロアレールの底部に取付けたガイドレールにメモリーユニットを摺動可能に嵌合させた状態の斜視図である。
【図３】本発明のシートスライド装置の一部を断面で示す斜視図である。
【図４】本発明のシートスライド装置のロック状態を示す縦断側面図である。
【図５】シートバックの前倒し時の状態を示す縦断側面図である。
【図６】シートバックの前倒し後のレールを前方に移動させた状態を示す縦断側面図である。
【図７】レールを前方に移動させた後のシートバックの復帰時の状態を示す縦断側面図である。
【図８】レールを元の位置に復帰させるために後方に移動させた状態を示す縦断側面図である。
【図９】レールの後方移動においてメモリーリンクがメモリーユニットに接触した状態を示す縦断側面図である。
【図１０】レールの後方移動においてメモリーリンクとメモリーユニットとの係合が外れた直後の状態を示す縦断側面図である。
【符号の説明】
【００３１】
１          フック
２          スライダー
３          メモリーリンク
４          スプリング
５          ロックオフリンク
６          ピン
７          ガイドレール
８          ロアレール
９          スライドロック
１０        ロックオフプレート
１１        ストッパー
１２        メモリーロック
１３        スプリング
１４        メモリーユニット
１５        ロック穴
１６        コイルスプリング
１７        ガイドプレート
１８        アッパレール
１９        スプリング
２０        ロック歯
２１        ブラケット
２２        ロック孔
２３        スプリング
２４        操作レバー
２５        屈曲部
２７        屈曲部
２９        案内溝
３０        傾斜溝
３１        下端水平部
３２        上端水平部
３３        案内開口部
３４        傾斜溝
３５        上端水平部
３６        下端水平部
３７        係合段部
３８        係合突出部
【図１】
2010089570.tif 000003
【図２】
2010089570.tif 000004
【図３】
2010089570.tif 000005
【図４】
2010089570.tif 000006
【図５】
2010089570.tif 000007
【図６】
2010089570.tif 000008
【図７】
2010089570.tif 000009
【図８】
2010089570.tif 000010
【図９】
2010089570.tif 000011
【図１０】
2010089570.tif 000012